(57)【要約】  本体１４を含むモップヘッド１２であって、本体１４は、スワブ部分が、使用時に下方に開いている第１のチャネル構造１５から垂れ下がるようにモップスワブ２０の取り付け部を収容する第１のチャネル構造１５と、スクラブ部材３０が、使用時に下方に開いている第２のチャネル構造２５の外方へ延びるようにスクラブ部材３０を収容すると共に取り付ける第２のチャネル構造２５とを提供する本体１４を含み、第１のチャネル構造１５及び第２のチャネル構造２５は、分離部材１８によって分離されているモップヘッド。
2010522052.tif 000002
【特許請求の範囲】
【請求項１】
本体を含むモップヘッドであって、
前記本体は、
使用時に下方に開いている第１のチャネル構造であって、モップスワブのスワブ部分が前記第１のチャネル構造から垂れ下がるように前記モップスワブの取り付け部を収容する第１のチャネル構造と、
使用時に下方に開いている第２のチャネル構造であって、スクラブ部材が前記第２のチャネル構造の外方へ延びるように前記スクラブ部材を収容すると共に取り付ける第２のチャネル構造と
を提供し、
前記第１のチャネル構造及び前記第２のチャネル構造は、分離部材によって分離されているモップヘッド。
【請求項２】
前記スクラブ部材は、細長い取り付け部材に対して固定された前記取り付け部によって前記第２のチャネル構造内に取り付けられて、前記取り付け部材と、したがって前記スクラブ部材とを前記本体に対して保持し、前記取り付け部材は、前記モップ本体によって提供されるそれぞれの第２の協働構造と係合可能である第１の協働構造を各軸端において有する、請求項１に記載のモップヘッド。
【請求項３】
前記第１の協働構造は、前記モップ本体の両側面にあるそれぞれの開口によって収容されるそれぞれ軸方向に延びる突起物である、請求項２に記載のモップヘッド。
【請求項４】
前記取り付け部材は、前記モップ本体に対して取り外し可能に取り付けられる、請求項２又は３に記載のモップヘッド。
【請求項５】
前記スクラブ部材は、前記第２の収容構造内の少なくとも１つの保持装置によって前記第２の収容構造内に取り付けられ、前記保持装置は、前記スクラブ部材に突き刺さる及び／又は該スクラブ部材を摩擦把持する少なくとも１つの弾性保持歯を含む、請求項１に記載のモップヘッド。
【請求項６】
前記モップ本体は、成形可能な材料で成形されたものとして提供され、前記第１のチャネル構造及び前記第２のチャネル構造は、前記分離部材と共に一体成形されている、請求項１〜５のいずれか一項に記載のモップヘッド。
【請求項７】
前記分離部材は、前記第１のチャネル構造及び前記第２のチャネル構造の共通の壁であり、前記第１のチャネル構造は、前記モップヘッド本体の第１の壁及び前記分離部材によって提供され、前記第２のチャネル構造は、前記モップヘッド本体の第２の壁及び前記分離部材によって提供される、請求項６に記載のモップヘッド。
【請求項８】
ハンドル取り付け装置が、前記モップ本体と一体になって取り付けられるか又は提供され、前記ハンドルは使用時に、実質的に上方に延びる、請求項１〜７のいずれか一項に記載のモップヘッド。
【請求項９】
モップスワブ及びスクラブ部材を有する請求項１〜８のいずれか一項に記載のモップヘッドと、ハンドルとを含むモップ。
【発明の詳細な説明】
【技術分野】
【０００１】
本発明は、モップヘッド及びモップに関する。
【背景技術】
【０００２】
モップは通常モップヘッドを含み、モップヘッドは、複数の繊維又は他の個々のモップスワブ材料構成要素によって提供することができると共に使用時にモップヘッドからモップがけされる床に向かって垂れ下がり得るモップスワブを収容すると共に取り付けるか、又は代替的に、モップ材料から成る一枚の実質的に連続したシートを含むモップスワブを取り付けるモップヘッドが知られている。いずれの場合も、モップは、床の清掃及び／又は床の水気を拭き取るのに使用され得る。
【０００３】
モップヘッドにスクラブパッド又は同様のものを取り付けるのに、これまでに様々な提案がされてきた。そのようなパッドは、床から頑固な汚れを除去するのに使用するものであり、通常は床から離れているが、たとえばモップヘッドの向きを変えることによって、スクラブパッドを床と係合させてごしごしこすることができるように取り付けられる。
【０００４】
初期の提案には、モップスワブも取り付けるモップヘッドによって提供される収容構造内に、スクラブパッドをモップスワブと共に取り付けることが挙げられていた。研磨パッドはスワブと並んで延び、スクラブパッドの使用時に、スクラブパッドはモップスワブに係合し、モップスワブがパッドに唯一の支持を提供していた。これは望ましいものではなく、スワブの破損又は少なくとも早過ぎる摩耗を招いていた。
【０００５】
英国特許出願公開第２４２３６９９号明細書において、使用時に、スクラブパッドがスワブに係合するのではなく、スクラブパッドがモップヘッドと係合することによって支持を提供するように、スクラブパッドをモップヘッド本体に又はモップヘッド本体に対して取り付ける提案が開示されている。しかしながら、これらの構成は依然としてモップスワブとスクラブパッドとの接触を許し、使用時に依然としてモップスワブの摩耗を招く可能性がある。
【発明の概要】
【０００６】
本発明の第１の態様によれば、本体を含むモップヘッドを提供し、本体は、使用時に下方に開いている第１のチャネル構造であって、モップスワブのスワブ部分が第１のチャネル構造から垂れ下がるようにモップスワブの取り付け部を収容する第１のチャネル構造と、使用時に下方に開いている第２のチャネル構造であって、スクラブ部材が第２のチャネル構造の外方へ延びるようにスクラブ部材を収容すると共に取り付ける第２のチャネル構造とを提供し、第１のチャネル構造及び第２のチャネル構造は、分離部材によって分離されている。
【０００７】
前記従来技術は、初期の提案を大幅に改善したものであったが、本発明は、モップスワブではなくモップヘッド本体によって支持されるスクラブパッド又は他の部材を提供するだけでなく、取り付け構成におけるより大きな融通性ももたらす。
【０００８】
一実施形態では、スクラブ部材は、モップ本体によって提供されるそれぞれの第２の協働構造と係合可能である第１の協働構造を各軸端において有する細長い取り付け部材に対して固定されることによって第２のチャネル構造内に取り付けられて、取り付け部材と、したがってスクラブ部材とをモップ本体に対して保持し得る。たとえば、第１の協働構造は、モップ本体の両側面にあるそれぞれの開口によって収容されるそれぞれ軸方向に延びる突起物であってもよい。本発明は取り付け部材の永久保持を不可能とはしないが、取り付け部材はこの場合、スクラブ部材がたとえば摩耗した場合に取り替えることを可能にするように、モップ本体に対して解放可能に取り付けられ得る。
【０００９】
別の実施形態では、スクラブ部材は、第２の収容構造内の少なくとも１つの保持装置によって第２の収容構造内に取り付けられてもよい。たとえば、保持装置は、スクラブ部材に突き刺さる及び／又はスクラブ部材を摩擦把持する少なくとも１つの弾性保持歯を含んでもよい。この場合、細長い取り付け部材は必要ではないが、必要に応じてスクラブ部材に対して剛性を加えるように設けてもよい。
【００１０】
いずれの場合も、スクラブ部材は、使用時にスクラブ作用を果たすことができなくなるほどに収容構造内に押し込まれないような取り付けを必要とする。
【００１１】
本発明は、スクラブ部材と清掃される表面との接触の角度を、使用時に、表面に対するモップスワブの角度とは実質的に独立にすることを可能にする。
【００１２】
モップ本体は、適切なプラスチックのような成形可能な材料で成形されたものとして提供されることが好ましく、したがって第１の収容構造及び第２の収容構造は、分離部材と共に一体成形され得る。好都合なことに、分離部材は、第１の収容構造及び第２の収容構造の共通の壁であり、第１のチャネル構造は、モップヘッド本体の第１の壁及び分離部材によって提供されるため、モップスワブは第１のチャネル構造の開口から床に向かって垂れ下がり、第２のチャネル構造は、モップ本体の第２の壁及び分離部材によって提供される。
【００１３】
下方に開いているが好ましくは第１のチャネル構造と実質的に平行である第２のチャネル構造の開口は、第１のチャネル構造の開口に対して横切るように下方へ延びることが好ましく、そのため、ユーザが適宜モップヘッドの角度を微調整することによってスクラブ部材及びモップスワブを交互に使用することができる。
【００１４】
したがって、通常のモップ使用では、モップヘッドは、モップスワブが床に係合するような向きにされるが、モップヘッドの向きを変えると、スクラブ部材は、スクラブ部材に支持を提供する第２の壁すなわち分離部材と共に床と係合し得る。
【００１５】
ハンドル取り付け装置が、モップ本体と一体になって取り付けられてもよく又は提供されてもよい。
【００１６】
本発明の第２の態様によれば、我々は、モップスワブ及びスクラブ部材を有する本発明の第１の態様によるモップヘッドと、ハンドルとを含むモップを提供する。
【００１７】
ここで、本発明の実施形態を添付の図面を用いて説明する。
【図面の簡単な説明】
【００１８】
【図１】本発明による、モップヘッドを含むモップの例示的な分解斜視図である。
【図２】図１の線Ａ−Ａに沿った断面図である。
【図３】モップヘッドの一部の部分側面図である。
【図４】図２と同様の部分図であるが、１つの代替的な実施形態を示す図である。
【発明を実施するための形態】
【００１９】
図面を参照すると、モップ１０は、モップヘッド１２及びハンドル１３を含んでいる。
【００２０】
モップヘッド１２は、この例では、プラスチック材料で一体成形されている本体１４によって提供されるが、別の例では、所望に応じて他の任意の材料で製造される本体１４とすることもできる。
【００２１】
本体１４は、この例では、本体１４に接続するハンドル１３の端に設けられた雄ねじを受け取るように、ソケット台Ｓに雌ねじ山を設けている。多くの代替的なハンドル１３の取り付け構成が可能であり、これは本発明の重要部分を構成するものではない。
【００２２】
本体１４は、使用時に、下側面において、第１の収容構造１５を提供し、これは、本体１４の第１の壁１７及び第２の壁１８によって提供される下方に開いている第１のチャネル１５である。第１のチャネル１５は、内部にモップスワブ２０の取り付け部を収容すると共に取り付け、モップスワブ２０は本発明の場合、複数の吸収性繊維フィラメントによって提供され、使用時に、第１のチャネル１５から垂れ下がり、下にある床に係合する。別の実施形態では、モップスワブは、各フィラメントがたとえば外被に包まれて提供される吸収性不織布材料である複数のフィラメント、すなわち、たとえば一枚の外皮に包まれた吸収性不織布材料から成る連続したシート状スワブによって提供され得る。
【００２３】
スワブ２０は、例示にすぎないが、本体１４と協働するクランプ１６のような、任意の所望の手段によって第１のチャネル１５内に取り付けられてもよい。
【００２４】
本体１４は、ここでも実質的に下方に開いているチャネル２５である第２の収容構造をさらに提供し、第２のチャネル２５の一方のリムを提供するさらなる本体壁２６が存在するが、第２のチャネルの他方のリムは第１のチャネル１５の第２の壁１８によって提供されるため、第２の壁１８は、第１のチャネル１５と第２のチャネル２５との間の共通の分離部材を提供する。
【００２５】
第２のチャネル２５は、第１のチャネル１５と実質的に平行に延び、実質的に下方に開くが、第２のチャネル２５の開いた方向は、第１のチャネル１５の開いた方向に対して横切っていることが分かる。
【００２６】
第２のチャネル１５は、この例では研磨パッド３０であるスクラブ部材の取り付け部を収容すると共に取り付けている。スクラブ部材３０は、第２のチャネル２５から延びるように取り付けられているが、モップがけ用のモップ１０の通常の使用では、スクラブパッド３０は、モップがけされる床から離される。それでも、モップ１０の向きを変えることによって、たとえばしつこい汚れを除去するのを助けるように、スクラブパッド３０を床に押し付けることができる。
【００２７】
図２において、スクラブパッド３０は、取り付け部材３１の周囲に受け取られ、取り付け部材３１はこの例では、細長く、実質的に第２のチャネル２５の全長に沿って延びると共に、実質的に円形のコア部分３２と半径方向に延びるリブ３３とを有することが分かる。さらに、取り付け部材３１は、各軸端において、軸方向に突出した構造の形態の第１の協働構造３４、３５を有している。突出した構造３４、３５はそれぞれ、本体１４の、第１のチャネル１５及び第２のチャネル２５の端を閉じる両側面３６にあるそれぞれの開口３４ａ、３５ａに収容され、取り付け部材３１をモップヘッド１２の本体１４に対して保持する。
【００２８】
研磨パッド３０は、所望であれば取り付け部材３１に対して接着又は他の方法で固定してもよく、又は、リブ３３と、第２のチャネル２５の壁１８及び２６の内部との間に押し込められている研磨パッド３０の取り付け部によって摩擦保持してもよい。
【００２９】
取り付け部材３１は、本体１４に対して永久固定され得るため、スクラブパッド３０が摩耗するとモップヘッド１２の交換が必要になるが、本体１２のプラスチックの側壁３６は、摩耗したスクラブパッド３０を取り付け部材３１及びスクラブパッド３０のユニット交換、又はスクラブパッド３０のみの交換のいずれかによって交換するのに十分なほど変形し得る十分な弾性を呈することが好ましい。
【００３０】
別の構成では、取り付け部材３１と、したがってスクラブパッド３０とを第２のチャネル２５内に保持する、より高度な構成を提供することができる。一例では、取り付け部材３１は、本体１４の対応する開口又は他の協働構造と係合する、後退可能な、たとえばばね押し式の協働構造３４／３５を有してもよい。
【００３１】
図４は、スクラブパッド３０ａ又は他のスクラブ部材を第２のチャネル２５内に取り付ける、代替的な構成を示している。
【００３２】
スクラブパッド３０は、たとえば巻かれて図示される形状に単純に形成され、摩擦によって第２のチャネル２５内に保持され得るが、この実施形態では、取り付け部材３１ａ又は第２のチャネル２５は、スクラブパッド３０に対して剛性を加えるように示されるが、これは必須ではない。
【００３３】
スクラブパッド３０は、この例では第２のチャネル２５の長さに沿って延びる一対の弾性歯４０、４１によって、第２のチャネル２５内に取り付けられている。これらの弾性歯のうちの一方の４０は、第１のチャネル１５及び第２のチャネル２５の間の分離部材１８によって保持されており、他方の弾性歯４１は、第２のチャネル１５のさらなる壁２６によって保持されている。弾性歯４０、４１は、成形中に本体１２と一体化されて提供されてもよいし、又はその後必要に応じて定位置に挿入されてもよい。
【００３４】
２つの弾性歯４０、４１は、スクラブパッド３０に突き刺さる／スクラブパッド３０に摩擦係合するように、第２のチャネル２５の内部へ互いに向かって且つ第２のチャネル２５の内部に延びている。スクラブ部材３０は、摩耗して必要に応じて新しいスクラブ部材３０と交換される場合、多少困難ではあるが第２のチャネル２５から除去することができる。
【００３５】
所望であれば、スクラブパッド３０は、弾性歯４０、４１又は他の任意の適切な機構による取り付けの代わりに、第２のチャネル２５内に接着又は他の方法で保持することもできる。
【００３６】
いずれの場合も、この例では、スクラブ部材３０は、研磨材、たとえばスパンナイロンから成るパッドであり、図１〜図３では、取り付け部材３１の周囲に形成されており、図４では、提供される場合には、取り付け部材３１ａの周囲に形成されるか、又は、床に対して複数の異なる向きでモップヘッド１２と共に床と係合可能なスクラブ面４３、４３ａを提供するように示される構成になるように形成されている。
【００３７】
さらに、スクラブ部材３０は、使用時に多様な向きにあるが、モップスワブ２０にではなく、取り付け要素３１、３１ａ及び／又は分離壁１８及びさらなる壁２６の下縁のいずれかに保持される。
【００３８】
本発明の範囲から逸脱することなく様々な変更が可能である。たとえば、示されるモップヘッド１２の構成は例示にすぎない。スクラブ部材３０は、記載されるような研磨パッドである必要はないが、モップがけ用により通常採用されている向きと比較して、床に対するモップヘッド１２の向きを変えることによって床と係合させることができる他の任意の所望のスクラブ部材である必要がある。
【００３９】
特定の形態で、又は開示されている機能を実行する手段若しくは開示されている成果を得る方法すなわちプロセスに関して適宜表現されている、上記の説明、以下の特許請求の範囲、又は添付の図面に開示されている特徴は、別個で又はそのような特徴の任意の組合せで、本発明を種々の形態で実現するのに使用することができる。
【図１】
2010522052.tif 000003
【図２】
2010522052.tif 000004
【図３】
2010522052.tif 000005
【図４】
2010522052.tif 000006
【国際調査報告】
2010522052.tif 000007
2010522052.tif 000008
2010522052.tif 000009